【手続補正書】
【提出日】平成24年9月14日(2012.9.14)
【手続補正１】
【補正対象書類名】明細書
【補正対象項目名】０００８
【補正方法】変更
【補正の内容】
【０００８】
前記課題を解決するために、請求項１に記載のネイルプリント装置は、
複数の指の第１の指爪画像、及び複数の指の第２の指爪画像から、それぞれ各指の種類と当該各指の種類別の第１及び第２の爪画像とを検出する検出手段と、
この検出手段により検出された指の種類と前記第１及び第２の爪画像とを対応付けてそれぞれ記憶された前記第１の爪画像を前記第２の爪画像に合わせて調整し、調整爪画像を生成する調整爪画像生成手段と、
この調整爪画像生成手段により生成された前記調整爪画像を、前記第２の爪画像に対応する指の爪部上に印刷するように制御する印刷制御手段と、
を備えていることを特徴としている。
また、請求項２に記載の発明は、請求項１に記載のネイルプリント装置において、
複数の爪部の爪画像を含む前記第１の指爪画像を得る第１の画像取得手段と、
複数の爪部の爪画像を含む前記第２の指爪画像を得る第２の画像取得手段と、
前記検出手段により検出された前記指の種類と前記第１及び第２の爪画像とを対応付けてそれぞれ記憶させる記憶制御手段と、
を備えていることを特徴としている。
【手続補正２】
【補正対象書類名】明細書
【補正対象項目名】０００９
【補正方法】変更
【補正の内容】
【０００９】
また、請求項３に記載のネイルプリント装置は、
第１の人物の爪部の第１の爪画像を得る第１の画像取得手段と、
第２の人物の爪部の第２の爪画像を得る第２の画像取得手段と、
前記第１の画像取得手段により得られた前記第１の爪画像、及び前記第２の画像取得手段により得られた前記第２の爪画像を、前記第１の人物及び第２の人物別にそれぞれ記憶させる記憶制御手段と、
この記憶制御手段の制御により記憶された前記第１の爪画像を前記第２の爪画像に合わせて調整し、調整爪画像を生成する調整爪画像生成手段と、
この調整爪画像生成手段により生成された前記調整爪画像を、前記第２の爪画像に対応する前記第２の人物の爪部上に印刷するように制御する印刷制御手段と、
を備えていることを特徴としている。
【手続補正３】
【補正対象書類名】明細書
【補正対象項目名】００１０
【補正方法】変更
【補正の内容】
【００１０】
請求項４に記載の発明は、請求項１から請求項３のいずれか一項に記載のネイルプリント装置において、
前記第１の爪画像及び前記第２の爪画像からそれぞれ爪部の第１の輪郭及び第２の輪郭を抽出する爪輪郭抽出手段を備え、
前記調整爪画像生成手段は、前記爪輪郭抽出手段により抽出された前記第１の輪郭と前記第２の輪郭とを比較し、前記第１の輪郭のサイズが前記第２の輪郭のサイズよりも大きい場合は、前記第１の輪郭が前記第２の輪郭内に収まるように前記第１の爪画像全体のサイズを縮小して調整爪画像を生成するものであり、
前記印刷制御手段は、前記調整爪画像生成手段により全体のサイズが縮小された前記調整爪画像を前記第２の爪画像に対応する爪部上に印刷するように制御するものであることを特徴としている。
【手続補正４】
【補正対象書類名】明細書
【補正対象項目名】００１１
【補正方法】変更
【補正の内容】
【００１１】
また、請求項５に記載のネイルプリント装置は、
複数の指の第１の指爪画像、及び複数の指の第２の指爪画像から、それぞれ各指の種類と当該各指の種類別の第１及び第２の爪画像とを検出する検出手段と、
この検出手段により検出された指の種類と前記第１及び第２の爪画像とを対応付けてそれぞれ記憶された前記第１の爪画像を前記第２の爪画像に合わせて調整し、調整爪画像を生成する調整爪画像生成手段と、
この調整爪画像生成手段により生成された前記調整爪画像と前記第２の爪部の輪郭とを合成して合成爪画像を生成する合成爪画像生成手段と、
この合成爪画像生成手段により生成された合成爪画像を、ネイルチップシート上に印刷するように制御する印刷制御手段と、
を備えていることを特徴としている。
また、請求項６に記載の発明は、請求項５に記載のネイルプリント装置において、
複数の爪部の爪画像を含む前記第１の指爪画像指爪画像を得る第１の画像取得手段と、
複数の爪部の爪画像を含む前記第２の指爪画像指爪画像を得る第２の画像取得手段と、
前記検出手段により検出された前記指の種類と前記第１及び第２の爪画像とを対応付けてそれぞれ記憶させる記憶制御手段と、
を備えていることを特徴としている。
【手続補正５】
【補正対象書類名】明細書
【補正対象項目名】００１２
【補正方法】変更
【補正の内容】
【００１２】
また、請求項７に記載のネイルプリント装置は、
第１の人物の爪部の第１の爪画像を得る第１の画像取得手段と、
第２の人物の爪部の第２の爪画像を得る第２の画像取得手段と、
前記第１の画像取得手段により得られた前記第１の爪画像、及び前記第２の画像取得手段により得られた前記第２の爪画像を、前記第１の人物及び第２の人物別にそれぞれ記憶させる記憶制御手段と、
この記憶制御手段の制御により記憶された前記第１の爪画像を前記第２の爪画像に合わせて調整し、調整爪画像を生成する調整爪画像生成手段と、
この調整爪画像生成手段により生成された前記調整爪画像と前記第２の人物の爪部の輪郭とを合成して合成爪画像を生成する合成爪画像生成手段と、
この合成爪画像生成手段により生成された合成爪画像を、ネイルチップシート上に印刷するように制御する印刷制御手段と、
を備えていることを特徴としている。
【手続補正６】
【補正対象書類名】明細書
【補正対象項目名】００１３
【補正方法】変更
【補正の内容】
【００１３】
また、請求項８に記載の印刷制御方法は、
複数の指の第１の指爪画像、及び複数の指の第２の指爪画像から、それぞれ各指の種類と当該各指の種類別の第１及び第２の爪画像とを検出する検出ステップと、
この検出手段において検出された指の種類と前記第１及び第２の爪画像とを対応付けてそれぞれ記憶された前記第１の爪画像を前記第２の爪画像に合わせて調整し、調整爪画像を生成する調整爪画像生成ステップと、
この調整爪画像生成ステップにおいて生成された前記調整爪画像を、前記第２の爪画像に対応する指の爪部上に印刷するように制御する印刷制御ステップと、
を含んでいることを特徴としている。
また、請求項９に記載の発明は、請求項８に記載の印刷制御方法において、
複数の爪部の爪画像を含む第１の指爪画像を得る第１の画像取得ステップと、
複数の爪部の爪画像を含む第２の指爪画像を得る第２の画像取得ステップと、
前記検出手段において検出された前記指の種類と前記第１及び第２の爪画像とを対応付けてそれぞれ記憶させる記憶制御ステップと、
を含んでいることを特徴としている。
【手続補正７】
【補正対象書類名】明細書
【補正対象項目名】００１４
【補正方法】変更
【補正の内容】
【００１４】
また、請求項１０に記載のネイルプリント装置は、
第１の爪部の第１の爪画像を含む指爪画像が記憶されている画像記憶手段と、
第２の爪部の第２の爪画像を含む指爪画像を得る画像取得手段と、
前記画像記憶手段に記憶されている前記第１の爪画像または当該第１の爪画像に含まれているネイルデザインを、前記第２の画像取得手段により得られた第２の指爪画像に対応する第２の爪部及びネイルチップシートのいずれか一方に印刷するように制御する印刷制御手段と、
を備えていることを特徴としている。
【手続補正８】
【補正対象書類名】明細書
【補正対象項目名】００１５
【補正方法】変更
【補正の内容】
【００１５】
また、請求項１１に記載の印刷制御方法は、
第１の爪部の第１の爪画像を含む指爪画像が記憶されている画像記憶手段を備えているネイルプリント装置に用いられる印刷制御方法において、
第２の爪部の第２の爪画像を含む指爪画像を得る画像取得ステップと、
前記画像記憶手段に記憶されている前記第１の画像または当該第１の爪画像に含まれているネイルデザインを、前記画像取得手段により得られた第２の爪画像に対応する第２の爪部及びネイルチップシートのいずれか一方に印刷するように制御する印刷制御ステップと、
を含んでいることを特徴としている。
【手続補正９】
【補正対象書類名】特許請求の範囲
【補正対象項目名】全文
【補正方法】変更
【補正の内容】
【特許請求の範囲】
【請求項１】
複数の指の第１の指爪画像、及び複数の指の第２の指爪画像から、それぞれ各指の種類と当該各指の種類別の第１及び第２の爪画像とを検出する検出手段と、
この検出手段により検出された指の種類と前記第１及び第２の爪画像とを対応付けてそれぞれ記憶された前記第１の爪画像を前記第２の爪画像に合わせて調整し、調整爪画像を生成する調整爪画像生成手段と、
この調整爪画像生成手段により生成された前記調整爪画像を、前記第２の爪画像に対応する指の爪部上に印刷するように制御する印刷制御手段と、
を備えていることを特徴とするネイルプリント装置。
【請求項２】
複数の爪部の爪画像を含む前記第１の指爪画像を得る第１の画像取得手段と、
複数の爪部の爪画像を含む前記第２の指爪画像を得る第２の画像取得手段と、
前記検出手段により検出された前記指の種類と前記第１及び第２の爪画像とを対応付けてそれぞれ記憶させる記憶制御手段と、
を備えていることを特徴とする請求項１に記載のネイルプリント装置。
【請求項３】
第１の人物の爪部の第１の爪画像を得る第１の画像取得手段と、
第２の人物の爪部の第２の爪画像を得る第２の画像取得手段と、
前記第１の画像取得手段により得られた前記第１の爪画像、及び前記第２の画像取得手段により得られた前記第２の爪画像を、前記第１の人物及び第２の人物別にそれぞれ記憶させる記憶制御手段と、
この記憶制御手段の制御により記憶された前記第１の爪画像を前記第２の爪画像に合わせて調整し、調整爪画像を生成する調整爪画像生成手段と、
この調整爪画像生成手段により生成された前記調整爪画像を、前記第２の爪画像に対応する前記第２の人物の爪部上に印刷するように制御する印刷制御手段と、
を備えていることを特徴とするネイルプリント装置。
【請求項４】
前記第１の爪画像及び前記第２の爪画像からそれぞれ爪部の第１の輪郭及び第２の輪郭を抽出する爪輪郭抽出手段を備え、
前記調整爪画像生成手段は、前記爪輪郭抽出手段により抽出された前記第１の輪郭と前記第２の輪郭とを比較し、前記第１の輪郭のサイズが前記第２の輪郭のサイズよりも大きい場合は、前記第１の輪郭が前記第２の輪郭内に収まるように前記第１の爪画像全体のサイズを縮小して調整爪画像を生成するものであり、
前記印刷制御手段は、前記調整爪画像生成手段により全体のサイズが縮小された前記調整爪画像を前記第２の爪画像に対応する爪部上に印刷するように制御するものであることを特徴とする請求項１から請求項３のいずれか一項に記載のネイルプリント装置。
【請求項５】
複数の指の第１の指爪画像、及び複数の指の第２の指爪画像から、それぞれ各指の種類と当該各指の種類別の第１及び第２の爪画像とを検出する検出手段と、
この検出手段により検出された指の種類と前記第１及び第２の爪画像とを対応付けてそれぞれ記憶された前記第１の爪画像を前記第２の爪画像に合わせて調整し、調整爪画像を生成する調整爪画像生成手段と、
この調整爪画像生成手段により生成された前記調整爪画像と前記第２の爪部の輪郭とを合成して合成爪画像を生成する合成爪画像生成手段と、
この合成爪画像生成手段により生成された合成爪画像を、ネイルチップシート上に印刷するように制御する印刷制御手段と、
を備えていることを特徴とするネイルプリント装置。
【請求項６】
複数の爪部の爪画像を含む前記第１の指爪画像指爪画像を得る第１の画像取得手段と、
複数の爪部の爪画像を含む前記第２の指爪画像指爪画像を得る第２の画像取得手段と、
前記検出手段により検出された前記指の種類と前記第１及び第２の爪画像とを対応付けてそれぞれ記憶させる記憶制御手段と、
を備えていることを特徴とする請求項５に記載のネイルプリント装置。
【請求項７】
第１の人物の爪部の第１の爪画像を得る第１の画像取得手段と、
第２の人物の爪部の第２の爪画像を得る第２の画像取得手段と、
前記第１の画像取得手段により得られた前記第１の爪画像、及び前記第２の画像取得手段により得られた前記第２の爪画像を、前記第１の人物及び第２の人物別にそれぞれ記憶させる記憶制御手段と、
この記憶制御手段の制御により記憶された前記第１の爪画像を前記第２の爪画像に合わせて調整し、調整爪画像を生成する調整爪画像生成手段と、
この調整爪画像生成手段により生成された前記調整爪画像と前記第２の人物の爪部の輪郭とを合成して合成爪画像を生成する合成爪画像生成手段と、
この合成爪画像生成手段により生成された合成爪画像を、ネイルチップシート上に印刷するように制御する印刷制御手段と、
を備えていることを特徴とするネイルプリント装置。
【請求項８】
複数の指の第１の指爪画像、及び複数の指の第２の指爪画像から、それぞれ各指の種類と当該各指の種類別の第１及び第２の爪画像とを検出する検出ステップと、
この検出手段において検出された指の種類と前記第１及び第２の爪画像とを対応付けてそれぞれ記憶された前記第１の爪画像を前記第２の爪画像に合わせて調整し、調整爪画像を生成する調整爪画像生成ステップと、
この調整爪画像生成ステップにおいて生成された前記調整爪画像を、前記第２の爪画像に対応する指の爪部上に印刷するように制御する印刷制御ステップと、
を含んでいることを特徴とする印刷制御方法。
【請求項９】
複数の爪部の爪画像を含む第１の指爪画像を得る第１の画像取得ステップと、
複数の爪部の爪画像を含む第２の指爪画像を得る第２の画像取得ステップと、
前記検出手段において検出された前記指の種類と前記第１及び第２の爪画像とを対応付けてそれぞれ記憶させる記憶制御ステップと、
を含んでいることを特徴とする請求項８に記載の印刷制御方法。
【請求項１０】
第１の爪部の第１の爪画像を含む指爪画像が記憶されている画像記憶手段と、
第２の爪部の第２の爪画像を含む指爪画像を得る画像取得手段と、
前記画像記憶手段に記憶されている前記第１の爪画像または当該第１の爪画像に含まれているネイルデザインを、前記第２の画像取得手段により得られた第２の指爪画像に対応する第２の爪部及びネイルチップシートのいずれか一方に印刷するように制御する印刷制御手段と、
を備えていることを特徴とするネイルプリント装置。
【請求項１１】
第１の爪部の第１の爪画像を含む指爪画像が記憶されている画像記憶手段を備えているネイルプリント装置に用いられる印刷制御方法において、
第２の爪部の第２の爪画像を含む指爪画像を得る画像取得ステップと、
前記画像記憶手段に記憶されている前記第１の画像または当該第１の爪画像に含まれているネイルデザインを、前記画像取得手段により得られた第２の爪画像に対応する第２の爪部及びネイルチップシートのいずれか一方に印刷するように制御する印刷制御ステップと、
を含んでいることを特徴とする印刷制御方法。